(57)【要約】      （修正有）【課題】電池切れとなった場合に、交換を必要とする電池が不足しても、電池交換して受信再生を可能とする。【解決手段】緊急ラジオ受信機１０に、偶数となる例えば４本の電池を縦方向及び横方向に２個ずつ並べて直列接続して収納する第１電池収納部４６と、偶数となる４本より少ない奇数となる例えば３本の電池を横方向に並べて直列接続して収納する第２電池収納部４８とを設け、何れか一方に必要な数の電池を収納する。電源回路部は、第１電池収納部４６に収納して直列接続した４本の電池から入力した第１電池電圧、又は第２電池収納部４８に収納して直列接続した３本の電池から入力した第２電池電圧を、所定の一定電圧に変換して出力する。【選択図】図４
2014078417.tif 000002
【特許請求の範囲】
【請求項１】
電池電源により動作し、ラジオ放送を受信して放送するラジオ受信機に於いて、
偶数となる所定数の電池を直列接続して収納する第１電池収納部と、
前記奇数となる所定数の電池を直列接続して収納する第２電池収納部と、
前記第１電池収納部に収納した前記偶数となる所定数の電池から入力した第１電池電圧、又は前記第２電池収納部に収納した前記奇数となる所定数の電池から入力した第２電池電圧を、所定の一定電圧に変換して出力する電源回路部と、
を設けたことを特徴とするラジオ受信機。
【請求項２】
請求項１記載のラジオ受信機に於いて、前記第１電池収納部と前記第２電池収納部は、それぞれの収納部の一部が重なり合うように直交して配置し、前記第１電池収納部と第２電池収納部の何れか一方に必要数の電池を収納することを特徴とするラジオ受信機。
【請求項３】
請求項２記載のラジオ受信機に於いて、
前記第１電池収納部は、前記偶数となる所定数の電池を、少なくとも縦方向に複数並べて収納し、
前記第２電池収納部は、前記奇数となる所定数の電池を、横方向のみに複数並べて収納する、
ことを特徴とするラジオ受信機。
【請求項４】
請求項１記載のラジオ受信機に於いて、
前記第１電池収納部と前記第２電池収納部に収納する電池数の差は１本である、
ことを特徴とするラジオ受信機。
【請求項５】
請求項１記載のラジオ受信機に於いて、前記第１電池収納部と第２電池収納部は、ラジオ筐体の背面に開口して形成され、当該開口部に着脱自在な前記第１電池収納部と第２電池収納部を共に塞ぐ蓋部材を設けたことを特徴とするラジオ受信機。
【発明の詳細な説明】
【技術分野】
【０００１】
本発明は、ラジオ受信機に関し、特に一般放送及びコミュニティＦＭ放送局等による緊急放送を受信再生するにも好適なラジオ受信機に関する。
【背景技術】
【０００２】
従来、市町村が防災行政のために運用している市町村防災無線設備にあっては、緊急地震速報を受信したり、津波警報が発令された場合、緊急情報信号を親局から送信し、中継局を介して又は直接に屋外に設置した拡声子局及び住居に設置した戸別受信機で緊急情報信号を受信再生し、拡声子局の拡声器から警報を担当地区に流したり、戸別受信機から警報を出力するようにしている。
【０００３】
また近年にあっては、市区町村あるいは政令指定都市の行政区内の一部地域などを放送エリアとするコミュニティＦＭ放送の普及が始まっており、一般のＦＭ受信機により受信することができる。
【０００４】
このような状況において、市町村防災無線設備から災害等に関する緊急情報をコミュニティＦＭ放送局に配信し、緊急放送信号を送信するようにしている。例えば市町村防災無線設備でＪ−ＡＬＥＲＴとして知られた全国瞬時警報システムから緊急地震速報、大津波警報、津波警報等の防災情報を受信した場合、この防災情報をコミュニティＦＭ放送局へ配信し、コミュニティＦＭ放送局から例えば緊急地震速報、大津波警報又は津波警報等の緊急放送信号を送信するようにしている。
【０００５】
コミュニティＦＭ放送局からの緊急放送は一般のラジオ受信機でも受信できるが、緊急放送を確実に受信再生するために緊急ラジオ受信機が実用化されている。緊急ラジオ受信機は、緊急放送を受信すると、一般放送を聞いても自動的に切り替わり、また待機状態で例えば緊急地震速報を受信した場合に自動的に再生する機能などを備えている。また通常はＡＣアダプタなどを使用することで商用交流電源により動作しているが、停電した場合には、自動的に乾電池による予備電源（バックアップ電源）に切り替わる。
【先行技術文献】
【特許文献】
【０００６】
【特許文献１】特開２０１０−２６３３１５号公報
【発明の概要】
【発明が解決しようとする課題】
【０００７】
ところで、このような従来の緊急ラジオ受信機にあっては、予備電源として例えば単三の乾電池を４本入れているが、万一、大地震などの災害に見舞われた場合に、乾電池が電池切れになっていたり、災害放送の受信中に電池切れとなった場合には、４本の乾電池を全て新品と交換する必要がある。
【０００８】
しかしながら、緊急ラジオ受信機を置いている全ての家庭で常に電池の買い置きがあるわけではなく、また、災害等の非常時には電池の入手も困難な場合があり、４本全てを交換できなければ、緊急ラジオ受信機を動作させることができない。また、日常的に経験することでもあるが、新しい電池が３本はあるが、１本が不足しており、このため４本を交換できずに、緊急ラジオ受信機が使えないといった状況が想定される。
【０００９】
本発明は、電池切れとなった場合に、交換を必要とする電池が１本不足しても、その時にある電池で電池交換して受信再生を可能とするラジオ受信機を提供することを目的とする。
【課題を解決するための手段】
【００１０】
（緊急ラジオ受信機）
本発明は、電池電源により動作し、一般放送及び緊急放送を受信するラジオ受信機に於いて、
偶数となる所定数の電池を直列接続して収納する第１電池収納部と、
奇数となる所定数の電池を直列接続して収納する第２電池収納部と、
第１電池収納部に収納した偶数となる所定数の電池から入力した第１電池電圧、又は第２電池収納部に収納した奇数となる所定数の電池から入力した第２電池電圧を、所定の一定電圧に変換して出力する電源回路部と、
を設けたことを特徴とする。
【００１１】
（電池収納部の直交配置）
第１電池収納部と第２電池収納部は、それぞれの収納部の一部が重なり合うように直交して配置し、第１電池収納部と第２電池収納部の何れか一方に必要数の電池を収納する。
【００１２】
（電池の配置）
第１電池収納部は、偶数となる所定数の電池を、少なくとも縦方向に複数並べて収納し、
第２電池収納部は、奇数となる所定数の電池を、横方向のみに複数並べて収納する。
【００１３】
第１電池収納部と第２電池収納部に収納する電池数の差は１本である。
【００１４】
第１電池収納部と第２電池収納部は、ラジオ筐体の背面に開口して形成され、当該開口部に着脱自在な第１電池収納部と第２電池収納部を共に塞ぐ蓋部材を設ける。
【発明の効果】
【００１５】
本発明のラジオ受信機によれば、偶数本の電池を第１電池収納部に直列接続して収納するか、奇数本の電池を第２電池収納部に直列接続して収納するか、いずれか準備できた本数の電池で、電源回路部から一定電圧に変換して出力することで、交換に必要な電池が不足していても、準備できた電池を使用して動作させることができ、災害等の電池の入手が困難な状況にあっても、可能な範囲で使えそうな電池を捜して、緊急放送を受信して災害に関する情報を収集して適切な行動をとることが可能となる。
【００１６】
また、第１電池収納部と第２電池収納部は、それぞれの収納部の一部が重なり合うように直交して配置したため、第１電池収納部と第２電池収納部を個別に設けた場合に比べ、必要とする電池収納スペースを低減することができ、受信機の小型化薄型化を図ることできる。また、誤って両方の電池収容部に電池が設置されて過電圧供給状態となることを防ぐことができる。
【図面の簡単な説明】
【００１７】
【図１】本発明による緊急ラジオ受信機の外観を正面から示した説明図
【図２】図１の緊急ラジオ受信機を側面から示した説明図
【図３】図１の緊急ラジオ受信機を背面から示した説明図
【図４】受信機背面の電池蓋を外して電池収納部の構造を示した説明図
【図５】第１電池収納部に乾電池４本を収納した状態を示した説明図
【図６】第２電池収納部に１本少ない乾電池３本を収納した状態を示した説明図
【図７】緊急ラジオ受信機の回路構成の概略を示したブロック図
【発明を実施するための形態】
【００１８】
［緊急ラジオ受信機の概要］
図１は本発明による緊急ラジオ受信機の外観を正面から示した説明図、図２は図１の緊急ラジオ受信機を側面から示した説明図、図３は図１の緊急ラジオ受信機を背面から示した説明図である。
【００１９】
図１、図２及び図３に示すように、本実施形態の緊急ラジオ受信機１０は、箱型に形成した受信機本体１２の上部にロッドアンテナ１６を配置し、前部左側に、スピーカを内部に配置した音響スリット部１５を設け、その右側に操作部と表示部を設けている。
【００２０】
操作部には、音量つまみ１８、照明釦２０、ＡＭラジオ釦２２、ＦＭラジオ釦２４を設けている。表示部には、ＬＥＤ照明灯２５、電源表示灯２６、緊急放送表示灯２８、一般放送表示灯３０、選局表示灯３２、放送局表示部３４を設けている。
【００２１】
放送表示部３４は６つの選局表示灯３２に対応した表示欄を備え、工場出荷段階または利用者が設定したラジオ放送名を示すシールを貼るようにしている。この場合、ＡＭラジオ釦２２とＦＭラジオ釦２４の並びに合せ、表示欄の左側にＡＭラジオ放送名のシールを貼り、右側にＦＭラジオ名のシールを貼る。
【００２２】
ここで、本実施形態の緊急ラジオ受信機１０には、市町村防災無線の親局から配信された防災情報に基づき例えば緊急地震速報、大津波警報又は津波警報等の緊急放送信号を送信するコミュニティＦＭ放送を受信可能であれば、そのコミュニティＦＭ放送を設定し、放送表示部３６の中に、コミュニティＦＭ放送名のシールを貼り、ＦＭラジオ釦２４の操作で選局可能としている。
【００２３】
一般放送を受信は、例えばＡＭラジオ釦２２を押すと、１番の選局表示灯３２が点灯し、これに対応して放送表示部３４の表示欄にシール貼りで示したＡＭラジオ放送を選局して受信再生する。この状態でＡＭラジオ釦２２を押すと次のＡＭラジオ放送の選局に切り替わる。
【００２４】
また、ＦＭ放送の受信は、ＦＭラジオ釦２４を押すと、最初は１番の選局表示灯３２が点灯し、これに対応して放送表示部３４の表示欄にシール貼りで示したＦＭラジオ放送を選局して受信再生する。この状態でＦＭラジオ釦２４を押すと次のＦＭラジオ放送の選局に切り替わる。
【００２５】
ＦＭラジオ放送から、緊急度が低い地域的なお知らせ放送などの一般ラジオ放送を受信すると、一般放送表示灯３０が点灯し、緊急ラジオ放送を受信すると、緊急放送表示灯２８が点灯する。
【００２６】
受信機本体１２の側面にはＡＣアダプタ接続部３６を設けており、ここに商用交流電源のコンセントなどに接続しているＡＣアダプタのジャックを接続し、ＡＣアダプタで商用交流電源から直流電源に変換した所定の直流電圧による電源供給を受けて動作する。
【００２７】
受信機本体１２の背面には、着脱自在な蓋部材１４を設け、蓋部材１４の内側に予備電源として使用する複数本の乾電池を収納している。また受信機本体１２の背面左上隅には同軸コネクタ３８とアンテナ・同軸切替スイッチ４０を設けている。
【００２８】
ロッドアンテナ１６によるＦＭラジオ放送の受信がうまくできない場合は、同軸コネクタ３３には例えばＦＭ室内アンテナからの同軸ケーブルを接続し、アンテナ・同軸切替スイツチ４０を同軸側に切り替えることで、ＦＭ室内アンテナを使用した放送受信を可能とする。また、同軸コネクタ３８にはＣＡＴＶシステムの同軸ケーブルを接続してＦＭラジオ放送信号を入力可能としても良い。
【００２９】
［緊急ラジオ受信機の電池収納構造］
図４は受信機背面の蓋部材を外して電池収納部の構造を示した説明図である。図４に示すように、受信機本体１２の背面に装着している蓋部材１４を外すと、その内側に電池収納部が露出する。
【００３０】
本実施形態の電池収納部は、第１電池収納部４６と第２電池収納部４８で構成する。第１電池収納部４６は、偶数となる４本の乾電池を、縦方向及び横方向に偶数本ずつ（２本ずつ）並べて横置き状態で収納可能とし、且つ収納状態で４本の乾電池を直列接続し、乾電池１本の電圧を１．５ボルトとすると、６ボルトの第１直流電圧Ｖｃｃ１を出力する。なお、乾電池の縦方向とは、円筒型乾電池の両電極を結ぶ軸方向をいい、横方向とは円筒型乾電池の軸方向に直交する方向（横方向）をいう。横置きとは筐体設置面と水平になるように電池を置くことを意味する。
【００３１】
第２電池収納部４８は、第１電池収納部４６の電池数より１本少ない奇数となる３本の乾電池を、横方向に３本並べて縦置き状態で収納可能とし、且つ収納状態で３本の乾電池を直列接続し、乾電池１本の電圧を１．５ボルトとすると、４．５ボルトの第２直流電圧Ｖｃｃ２を出力する。縦置き状態とは、床面に対して電池を上下方向に立てる向きで置くことをいう。第２電池収納部４８の高さ方向の長さは、電池１本分の縦方向の長さでよく、第１電池収納部４６の縦方向の電池２本分の長さより短くできる。
【００３２】
また、第１電池収納部４６と第２電池収納部４８は、それぞれの収納部の一部が重なり共用するように直交して配置しており、第１電池収納部４６と第２電池収納部４８の何れか一方に必要数の電池を収納する。横に長い第１電池収容部と縦に長い第２電池収容部をクロス配置させたことで、その四隅の空間部分に蓋部材１４の係止用突起を収容する開口部を備えている。これにより蓋部材を小型化している。
【００３３】
具体的には、第１電池収納部４６は乾電池２本の高さに対応した横幅と、乾電池２本の横並びに対応した縦幅の収納スペースを必要とし、また第２電池収納部４６は乾電池３本の横並びに対応した横幅と、乾電池１本の高さに対応した縦幅の収納スペースを必要とすることから、筐体１２が横方向に長い形状のため、収納する乾電池を横置きとするように第１電池収納部４６を配置し、これに対し乾電池を縦置きとするように第２電池収納部４８を中央部分で第１電池収納部４６と重なるように直交配置している。
【００３４】
第１電池収納部４６及び第２電池収納部４６の端部には、乾電池の正極を接触させる電極部材と、乾電池の負極を接触させるコイルバネ形状の負極部材を配置している。
【００３５】
また第１電池収納部４６の中には、２本ずつ２列並べて収納する４本の乾電池を位置決めするため、電池２列の間にガイド部５０を第２電池収納部４８の位置を除く左右２ケ所に分けて設け、収納部内を２つの電池収納区画に分け、更に、左側の上下２箇所にガイド部５１を設けて電池を所定位置に収納できる。ガイド部５０の上下側面は、電池を第１電池収納部に収納した際に、電池が筐体上下方向の移動を規制するために、電池の側面と同型状の曲面を有して、電池の側面と面接触可能な形状にしている。
【００３６】
また、ガイド部５０の第２電池収納部側の端面も曲面形状としており、第２電池収納部に電池を縦置き収納した際に、電池の外周側面がガイド部５０の端面に接触して、電池の横方向への移動を規制するため、縦方向に配置した電池の側面外周形状に近い曲面形状となっている。
【００３７】
また、第２電池収納部４８の中には、縦置きで横に並べて収納する３本の乾電池を位置決めするためのガイド部５２を第１電池収納部４６の電池収納スペースを避けた上下４箇所に設け、収納部内を３つの電池収納区画に分けている。
【００３８】
ガイド部５２の左右側面は、電池を第２電池収納部に収納した際に、縦置きした電池の横方向の移動を規制するために、電池の側面と同型状の曲面で電池側面と面接触可能な曲面を有している。またガイド部５２の第１電池収納部側の端面も曲面形状としており、第１電池収納部に電池を収納した際に、電池の側面がガイド部５２の端面に接触して、電池の高さ方向への移動を規制するため、電池の側面外周形状に近い曲面形状となっている。
【００３９】
図５は第１電池収納部に乾電池４本を収納した状態を示した説明図である。図５に示すように、本実施形態の緊急ラジオ受信機を設置した場合には、第１電池収納部４８に例えば単３アルカリの乾電池５４を４本収納する。この収納状態で４本の乾電池５４は直列に接続され、第１電池収納部４６からは例えば６ボルトの第１直流電圧Ｖｃｃ１が供給される。第１電池収納部４６に収納された電池４本は、ガイド部５０の上下面、ガイド部５１の内面、ガイド部５２の端面で高さ方向、前後方向への移動が規制されている。第１電池収納部４６に電池を収納した場合は、第２電池収納部４８に別の乾電池をいれることはできない。
【００４０】
図６は第２電池収納部に１本少ない乾電池３本を収納した状態を示した説明図である。乾電池が３本しか準備できなかった場合には、図６に示すように、第２電池収納部４８に、準備できた３本の乾電池５４を収納する。この収納状態で３本の乾電池５４は直列に接続され、第２電池収納部４８からは例えば４．５ボルトの第２直流電圧Ｖｃｃ２が供給される。第２電池収納部４８に収納された電池３本は、ガイド部５０の端面、ガイド部５２の左右面で横方向への移動が規制されて定位置に固定される。
【００４１】
「緊急ラジオ受信機の回路構成」
図７は本実施形態による緊急ラジオ受信機の回路構成の概略を示したブロック図である。図７に示すように、緊急ラジオ受信機は、第１電池収納部４６、第２電池収納部４８、電源回路部５６、受信回路部５８、スピーカ６０、表示部６２、操作部６４を備える。
【００４２】
第１電池収納部４６には４本の乾電池を直列接続して格納しており、電源回路部５６へ第１直流電圧Ｖｃｃ１として６ボルトを供給している。また、第２電池収納部４８に３本の乾電池を収納した場合には、その直列接続により第２直流電圧Ｖｃｃ２として４．５ボルトを供給している。
【００４３】
また電源回路部５６にはＡＣアダプタ接続部３６を接続しており、ここにＡＣアダプタからのジャックを接続することで直流電源電圧Ｖｃｃとして例えば７ボルトを供給する。
【００４４】
電源回路部５６は例えば４．０〜７．５ボルトの範囲の直流電圧を入力し、これを第２直流電圧以下の所定の一定電圧、例えば４．０ボルトに変換し、受信回路部５８へ直流電源を供給して動作させる。
【００４５】
電源回路部５６は、停電等によりＡＣアダプタ接続部３６からの電源供給が断たれることを検知すると、第１電池収納部４６若しくは第２電池収納部４８に収納された電池電源を使用した駆動に切り換える。第１電池収納部４６に電池４本が収納されている場合は、入力した６ボルトの第１直流電圧Ｖｃｃ１を例えば４．０ボルトの一定電圧に変換して出力する。
【００４６】
一方、第２電池収納部４８に３本の乾電池５４を収納している時にＡＣアダプタ接続部３６からの電源供給が断たれることを検知した場合は、第２電池収納部４６からの電源供給に切り替え、入力した４．５ボルトの第２直流電圧Ｖｃｃ２を例えば４．０ボルトの一定電圧に変換して出力する。
【００４７】
このようなＡＣアダプタ接続部３６、第１電池格納部４６及び第２電池格納部４８からの電源供給の切り替えは、電源回路部５６に設けた定電圧回路の入力に、ＡＣアダプタ接続部３６、第１電池格納部４６及び第２電池格納部４８からの電源ラインを、それぞれ逆流阻止用のダイオードを介して接続するダイオードオアとすれば良い。
【００４８】
また、第１電池収納部４６と第２電池収納部４８による電源供給の相違は、第１電池収納部４６の方が電池容量が大きいことから、第２電池収納部４８による電源供給に対し、待機している場合の動作可能時間及び連続放受信している場合の動作可能時間を長くできる点にある。
【００４９】
［本発明の変形例］
なお、上記の実施形態は、単３の乾電池を収納する場合を例にとるものであったが、例えば単４の乾電池、或いは単２の乾電池を収納する場合についても、収納部のサイズは異なるが、それ以外の点は、単３乾電池の場合と同じである。
【００５０】
また、上記の実施形態は、第１電池収納部に偶数となる４本の電池を収納し、第２電池収納部に１本少ない奇数となる３本の電池を収納する場合を例にとっているが、第１電池収納部に６本、第２電池収納部に５本の電池を収納する場合、或いは、第１電池収納部に２本、第２電池収納部に１本多い３本の電池を収納する場合などであっても良い。このように、通常は本数の多い側の電池収納部を利用して、電池の本数が足りない場合は本数の少ない方の電池収納部を使用してラジオを聴くことができる。奇数と偶数の電池本数は任意の数でよいが、１本差とするのが、製品の稼働条件の点もしくは災害時に用意できる電池本数の点から好ましい。
【００５１】
偶数設置する第１電池収容部は、合計本数に応じて、２本を２列、２本を３列、３本を２列など縦方向及び横方向の配置、若しくは複数本１列の縦方向のみの配置が考えられ、少なくとも縦方向を複数配置とする任意に配置にすることができる。また奇数設置の第２電池収容部は、全ての電池を横並びとする横方向を複数配置で形成する構成であれば任意の本数で形成することができる。
【００５２】
また、上記の実施形態は、筐体１２が横方向に長い筐体のため、電池を高さ軸方向に並べる第１電池収納部４６を筐体長手方向に設けているが、筐体が縦に長い場合は、第１電池収納部と第２電池収容部を９０度回して設けても良い。
【００５３】
また、上記の実施形態は、緊急ラジオ受信機を例にとるものであったが、電池電源により動作して一般放送を受信するラジオ受信機について、同様に適用することができる。
【００５４】
また、本発明は上記の実施形態に限定されず、その目的と利点を損なうことのない適宜の変形を含み、更に上記の実施形態に示した数値による限定は受けない。
【符号の説明】
【００５５】
１０：緊急ラジオ受信機
１２：受信機本体
１４：蓋部材
３２：選局表示灯
３４：放送局表示部
３６：ＡＣアダプタ接続部
３８：同軸コネクタ
４０：アンテナ・同軸切替スイッチ
４６：第１電池収納部
４８：第２電池収納部
５０，５２：収納ガイド部
５４：乾電池
５６：電源回路部
５８：受信回路部
６０：スピーカ
６２：表示部
６４：操作部
【図１】
2014078417.tif 000003
【図２】
2014078417.tif 000004
【図３】
2014078417.tif 000005
【図４】
2014078417.tif 000006
【図５】
2014078417.tif 000007
【図６】
2014078417.tif 000008
【図７】
2014078417.tif 000009